(57)【特許請求の範囲】
【請求項１】
少なくとも一方が透光性の一対の第１及び第２電極層によって少なくとも発光層を含む有機発光層を挟んで成る有機ＥＬ層を透光性の基板上に配設し、前記基板と協同して前記有機ＥＬ層を封止する封止部材を備える有機ＥＬパネルにおいて、
該有機ＥＬパネルを取り付ける取付け面に配設された取付け部材と係合する係合部材を背面に設け、
前記係合部材および前記取付け部材のうちの一方は、対向する一対の側面にそれぞれ係合溝を長手方向に形成された略直方体形状の第１部材であり、その他方は、前記第１部材の前記一対の係合溝にそれぞれ挿入され、各先端部が互いに向き合う一対の係合爪を形成する第２部材であること
を特徴とする有機ＥＬパネル。
【請求項２】
前記取付け部材は、対向する一対の側面にそれぞれ係合溝を長手方向に形成された略直方体形状の第１部材であり、
前記係合部材は、前記第１及び第２電極層にそれぞれ導電可能に接続するとともに、前記第１部材の前記一対の係合溝にそれぞれ挿入され、各先端部が互いに向き合う一対の係合爪を形成する断面略Ｌ字状の一対の導電性部材から成る第２部材であること
を特徴とする請求項１に記載の有機ＥＬパネル。
【発明の詳細な説明】
【技術分野】
【０００１】
本発明は、有機ＥＬ（electro luminescence）パネルに関し、特に、発光面の全てを活用することができる有機ＥＬパネルに関する。
【背景技術】
【０００２】
従来、有機ＥＬパネルは、例えば特許文献１に開示されているように、発光面の周縁部を囲む枠体によって取り付け面に取り付けられていた。
【０００３】
図７は、特許文献１に記載の有機ＥＬ表示装置の構造を示す図である。図７（Ａ）は、その分解斜視図であり、図７（Ｂ）は、その断面図である。
【０００４】
図７において、特許文献１に記載の有機ＥＬ表示装置５００は、封止板５１２によって封止された、画像や文字等の情報を表示するための有機ＥＬ表示素子５１０と、この有機ＥＬ表示素子５１０を駆動するための駆動回路等が設けられた配線板５２０（取り付け面に相当する）と、導通方向に異方性を有すると共に弾性を有し、有機ＥＬ表示素子５１０の電極と配線板５２０の電極とを電気的に接続する２つのコネクタ５３０、５３０と、有機ＥＬ表示素子５１０及びコネクタ５３０、５３０を保持して、配線板５２０に固定されるホルダ本体５４０と、このホルダ本体５４０に結合され、有機ＥＬ表示素子５１０及びコネクタ５３０、５３０を固定するための固定部材５５０とを備えている。
【０００５】
ホルダ本体５４０は、有機ＥＬ表示素子５１０の側部に対向する側壁部のみを有する枠形状を成している。その対向する一対の両側壁部における内壁面５４５、５４５には、２つのコネクタ５３０、５３０が当接するようにそれぞれ保持されており、そして、固定部材５５０の端部を挿入するための断面矩形の溝５４７、５４７が長手方向にそれぞれ形成されている。ホルダ本体５４０は、その隅でねじ５２４、５２４によって配線板５２０にねじ止めされている。固定部材５５０は、発光面側において、有機ＥＬ表示素子５１０の周縁部に当接する枠状を成している。
【０００６】
そして、有機ＥＬ表示素子５１０は、封止板５１２を配線板５２０に向けて、その両側端がそれぞれ２つのコネクタ５３０、５３０に載るようにホルダ本体５４０内の空間５４６に収納され、固定部材５５０がホルダ本体５４０の溝５４７、５４７に挿入されることで有機ＥＬ表示素子５１０の周縁部がコネクタ５３０、５３０と固定部材５５０とによって挟持されて、ホルダ本体５４０に固定される。
【特許文献１】特開２０００−０６６６２２号公報
【発明の開示】
【発明が解決しようとする課題】
【０００７】
ところで、特許文献１に記載の有機ＥＬ表示装置５００では、有機ＥＬ表示素子５１０は、上述したように、その周縁部がコネクタ５３０、５３０と固定部材５５０とによって挟持されてホルダ本体５４０に固定される。このため、発光面の周縁部が固定部材５５０によって塞がれてしまい、発光面の全てを活用することができないという不都合があった。
【０００８】
本発明は、上述の事情に鑑みて為された発明であり、発光面の全てを活用することができる有機ＥＬパネルを提供することを目的とする。
【課題を解決するための手段】
【０００９】
本発明者は、種々検討した結果、上記目的は、以下の本発明により達成されることを見出した。即ち、本発明に係る一態様では、少なくとも一方が透光性の一対の第１及び第２電極層によって少なくとも発光層を含む有機発光層を挟んで成る有機ＥＬ層を透光性の基板上に配設し、前記基板と協同して前記有機ＥＬ層を封止する封止部材を備える有機ＥＬパネルにおいて、該有機ＥＬパネルを取り付ける取付け面に配設された取付け部材と係合する係合部材を背面に設け、前記係合部材および前記取付け部材のうちの一方は、対向する一対の側面にそれぞれ係合溝を長手方向に形成された略直方体形状の第１部材であり、その他方は、前記第１部材の前記一対の係合溝にそれぞれ挿入され、各先端部が互いに向き合う一対の係合爪を形成する第２部材であることを特徴とする。
【００１０】
そして、上述の有機ＥＬパネルにおいて、前記取付け部材は、対向する一対の側面にそれぞれ係合溝を長手方向に形成された略直方体形状の第１部材であり、前記係合部材は、前記第１及び第２電極層にそれぞれ導電可能に接続するとともに、前記第１部材の前記一対の係合溝にそれぞれ挿入され、各先端部が互いに向き合う一対の係合爪を形成する断面略Ｌ字状の一対の導電性部材から成る第２部材であることを特徴とする。
【発明の効果】
【００１１】
このような構造の有機ＥＬパネルは、背面に設けられた係合部材によって取付け面に取り付けられるので、発光面の全てを活用することができる。
【発明を実施するための最良の形態】
【００１２】
以下、本発明に係る実施形態を図面に基づいて説明する。なお、各図において同一の符号を付した構成は、同一の構成であることを示し、その説明を省略する。
（第１の実施形態）
図１は、第１の実施形態に係る有機ＥＬパネルの構造を示す図である。図１（Ａ）は、発光面の正面図であり、図１（Ｂ）は、背面図であり、図１（Ｃ）は、図１（Ａ）に示すＡＡ線における断面図である。
【００１３】
図１において、第１の実施形態に係る有機ＥＬパネル１０Ａは、基板１１と、基板１１の一方面１１１上に積層された第１電極層１２と、第１電極層１２上に積層された有機発光層１３と、有機発光層１３上に積層された第２電極層１４と、第１及び第２封止部材１５、１６と、係合部材１７とを備えて構成される。
【００１４】
基板１１は、少なくとも一方が透光性の一対の第１及び第２電極層１２、１４によって少なくとも発光層を含む有機発光層１３を挟んで成る有機ＥＬ層を支持するための平板状の部材であり、有機発光層１３で発光する光の波長に対して透明な材料、例えばガラス等から成る。
【００１５】
第１電極層１２は、有機発光層１３で発光する光の波長に対して透明な材料から成る導電性の薄膜であり、陽極となる。第１電極層１２は、有機発光層１３が可視光を発光するので、例えば、ＩＴＯ（Indium Tin Oxide）等で形成される。第１電極層１２は、その一部が基板１１の一方端側に第１封止部材１５から露出するように引き出されて陽極端子部１２１を形成している。
【００１６】
有機発光層１３は、正孔注入層、蛍光物質の有機材料又は蛍光物質を含む有機材料から成る発光層、及び、電子注入層の各層を備えて構成される。
【００１７】
第２電極層１４は、導電性の薄膜であり、陰極となる。第２電極層１４は、第１電極層１２と同様に有機発光層１３で発光する光の波長に対して透明な材料から形成してもよいが、本実施形態では、有機発光層１３で発光する光の取り出し効率を高めるために、有機発光層１３で発光する光を反射する材料から形成される。第２電極層１４は、例えばアルミニウム（Ａｌ）、アルミリチウム（Ａｌ：Ｌｉ）及びマグネシウム銀（Ｍｇ：Ａｇ）等の金属や合金等で形成される。第２電極層１４は、例えば、本実施形態では、導電率、反射率及びコスト等の観点から、例えばアルミニウムで形成される。第２電極層１４は、その一部が基板１１の一方端側に対向する他方端側に第１封止部材１５から露出するように引き出されて陰極端子部１４１を形成している。
【００１８】
第１及び第２封止部材１５、１６は、基板１１と協同して有機発光層１３を気密に封止するための絶縁性の部材である。例えば接着性を有する樹脂製の第１封止部材１５が、陽極端子部１２１を除く第１電極層１２、有機発光層１３及び陰極端子部１４１を除く第２電極層１４を覆うように塗布され、例えばガラス製の板状部材から成る第２封止部材１６が、第１封止部材１５を介して第２電極層１４上に載せられて圧力が加えられことによって、第２封止部材１６が第１封止部材１５によって第２電極層１４に接着されると共に、第２封止部材１６の周縁部が第１封止部材１５によって基板１１に気密に接着して接合される。これによって第１及び第２封止部材１５、１６は、基板１１と協同して有機発光層１３を気密に封止する。
【００１９】
係合部材１７は、有機ＥＬパネル１０Ａを取り付ける取付け面に配設された後述の取付け部材２０Ａと係合する部材である。係合部材１７は、例えば、アルミニウム製の略直方体形状を成し、対向する１対の側面には、それぞれ、断面略矩形の係合溝Ｓａ、Ｓａが長手方向に形成されている。この係合溝Ｓａ、Ｓａを１対の側面にそれぞれ形成することによって、係合部材１７には、対向する１対の側端に、係合部１７１、１７１がそれぞれ形成される。係合部材１７は、第２封止部材１６上に例えば接着剤等によって接着されることによって、有機ＥＬパネル１０Ａの背面に固定される。
【００２０】
このような構成の有機ＥＬパネル１０Ａは、第１電極層１２の陽極端子部１２１と第２電極層１４の陰極端子部１４１との間に直流の電力を供給することによって、有機発光層１３が発光する。この有機発光層１３で発光した光は、一対の第１及び第２電極層１２、１４によって有機発光層１３を挟んで成る有機ＥＬ層を配設している面、即ち、第１電極層１２が形成されている一方面１１１に対向する他方面１１２から、有機ＥＬパネル１０Ａの出力光として射出される。
【００２１】
発光面は、有機ＥＬパネル１０Ａの出力光となる光が射出される側にある最外面であり、本実施形態に係る有機ＥＬパネル１０Ａでは、基板１１の他方面１１２である。一方、背面は、係合部材１７を固定する前において、有機ＥＬパネル１０Ａの出力光となる光が射出されない側にある最外面であり、本実施形態に係る有機ＥＬパネル１０Ａでは、基板１１の一方面１１１における第１及び第２電極層１２、１４、有機発光層１３並びに第１及び第２封止部材１５、１６が形成されていない部分１１１１、第１封止部材１５の外周壁部分１５１、及び、第２封止部材１６の外面１６１である。本実施形態は、上述したように、この背面のうち第２封止部材１６の外面１６１に係合部材１７が固定されている。
【００２２】
このような有機ＥＬパネル１０Ａは、例えば、次の各工程によって製造される。まず、８ｃｍ□のガラス製の基板１１上における略中央部にＩＴＯの第１電極層１２を幅６ｃｍ、厚み１５００オングストローム、シート抵抗１０Ω/□で形成する。次に、この第１電極層１２のＩＴＯ薄膜を形成した基板１１を、アセトン、イソプロピルアルコール（共に（株）関東化学製）、セミコクリーン（フルウチ科学製）、超純水で、それぞれ１０分間超音波洗浄を行った後、イソプロピルアルコールの蒸気で洗浄し、乾燥させる。次に、大気圧プラズマ表面処理装置（松下電工（株）製）で、３分間、この第１電極層１２のＩＴＯ薄膜が形成された基板１１の表面処理を行う。
【００２３】
次に、６．４ｃｍ□の開口部を有する有機発光層用マスクを用い、４、４’−ビス［Ｎ−（ナフチル）−Ｎ−フェニル−アミノ］ビフェニル（α−ＮＰＤ）を５００オングストローム、Ａｌｑ３にクマリンを１質量％ドープした層を厚み３００オングストロームで蒸着する。次に、Ａｌｑ３を厚み４００オングストローム、ＬｉＦを厚み５オングストロームで蒸着する。これによって正孔注入層、発光層及び電子注入層を備える有機発光層１３が形成される。
【００２４】
次に、ＩＴＯ薄膜の第１電極層１２と直交する向きに幅６ｃｍの開口部を有する第２電極用マスクを用いて、アルミニウムを厚み１０００オングストロームで蒸着し、アルミニウムの第２電極層１４を形成する。
【００２５】
次に、第２封止部材１６として厚み０．５ｍｍのガラス板を第１封止部材１５としてのエポキシ系接着剤で基板１１に貼付することによって気密に封止する。そして、第２封止部材１６上にアルミニウムから成る係合部材１７をエポキシ系接着剤で接着する。これによって図１に示す有機ＥＬパネル１０Ａが製造される。
【００２６】
次に、この係合部材１７に係合する取付け部材２０Ａについて説明する。図２は、第１の実施形態に係る取付け部材の構造を示す図である。図２（Ａ）は、正面図であり、図２（Ｂ）は、側面図であり、図２（Ｃ）は、図２（Ａ）に示すＢＢ線における断面図である。そして、図２（Ｄ）は、第１の実施形態における変形形態に係る取付け部材の正面図であり、図２（Ｅ）は、その側面図である。
【００２７】
図２（Ａ）乃至（Ｃ）において、取付け部材２０Ａは、係合部材１７と係合する部材であり、例えば、係合部材１７の係合部１７１を狭持することによって係合部材１７と係合する。より具体的には、略長方形の板状部材における両端を同一方向にそれぞれ略垂直に折り曲げることによって、基部２１１の両端に立部２１２、２１２をそれぞれ形成し、さらに、それらの先端部を互いに向き合う方向にそれぞれ略垂直に折り曲げることによって係合爪２１３、２１３をそれぞれ形成する。これによって基部２１１、立部２１２、２１２及び係合爪２１３、２１３によって断面略矩形の１対の狭持空間Ｓｂ、Ｓｂが形成され、狭持空間Ｓｂ、Ｓｂを備える取付け部材２０Ａが形成される。
【００２８】
次に、有機ＥＬパネルを取り付け面に取り付ける場合について説明する。図３は、第１の実施形態に係る有機ＥＬパネルを第１の実施形態に係る取付け部材に係合させる様子を説明するための斜視図である。
【００２９】
図３において、まず、取付け部材２０Ａが、有機ＥＬパネル１０Ａが取り付けられる不図示の面、例えば天井面に基部２１１の外面２１１１を当接するように、例えばねじ止めや接着等によって固定される。基部２１１の外面２１１１は、立部２１２、２１２及び係合爪２１３、２１３とによって狭持空間Ｓｂ、Ｓｂを形成する内面２１１２に対向する面である。
【００３０】
そして、取付け部材２０Ａの係合爪２１３、２１３が有機ＥＬパネル１０Ａにおける係合部材１７の係合溝Ｓａ、Ｓａに挿入されることによって、即ち、有機ＥＬパネル１０Ａの係合部１７１、１７１が取付け部材２０Ａの狭持空間Ｓｂ、Ｓｂに挿入されることによって、有機ＥＬパネル１０Ａが取付け部材２０Ａに係合され、有機ＥＬパネル１０Ａが取付け面に取り付けられる。このように有機ＥＬパネル１０Ａの係合部１７１、１７１が取付け部材２０Ａの狭持空間Ｓｂ、Ｓｂに挿入されるので、狭持空間Ｓｂ、Ｓｂは、係合部１７１、１７１を挿入可能な幅及び深さを有している。
【００３１】
このように本実施形態に係る有機ＥＬパネル１０Ａは、枠体を用いることなく、背面に設けられた係合部材１７を取り付け面に配設された取付け部材２０Ａに係合させることによって、取り付け面に取り付けられるので、発光面を全て活用することができる。また、本実施形態に係る有機ＥＬパネル１０Ａは、このように取り付け面に取り付けられるので、平面視における基板１１の形状を任意の形状とすることができるから、デザイン上の制約がなく、優れたデザインの有機ＥＬパネル１０Ａを製作することも可能である。
【００３２】
なお、有機ＥＬパネル１０Ａを例えば天井面や床面等の重力の作用する方向に直交する面に取り付ける場合には、係合部材１７を取付け部材２０Ａによって支持することができるが、例えば壁面等の重力の作用する方向に直交しない面に取り付ける場合には、係合部材１７が取付け部材２０Ａを滑り抜ける可能性がある。このため、有機ＥＬパネル１０Ａをこのような重力の作用する方向に直交しない面に取り付けることができるように、図２（Ｄ）及び（Ｅ）に示すように、狭持空間Ｓｂ、Ｓｂの一方端を閉塞する閉塞板２１４を設けてもよい。あるいは、取付け部材２０Ａの係合爪２１３、２１３を若干さらに基部２１１の方向に折り曲げることによって、狭持空間Ｓｂ、Ｓｂに係合部材１７の係合部１７１、１７１が挿入された場合に係合部材１７の係合部１７１、１７１に付勢力が働くように係合爪２１３、２１３に弾性を持たせるように係合爪２１３、２１３が構成されてもよい。
【００３３】
また、上述の実施形態では、第２封止部材１６を備え、係合部材１７を第２封止部材１６に接着して固定したが、第２封止部材１６を備えることなく、第１封止部材１５を上述の実施形態よりも厚めに塗布することによって、第１封止部材１５によって、第１封止部材１５を介して第２電極層１４上に接着して固定してもよい。
【００３４】
次に、別の実施形態について説明する。
（第２の実施形態）
図４は、第２の実施形態に係る有機ＥＬパネルの構造を示す図である。図４（Ａ）は、発光面の正面図であり、図４（Ｂ）は、背面図であり、図４（Ｃ）は、図４（Ａ）に示すＣＣ線における断面図である。
【００３５】
図４において、第２の実施形態に係る有機ＥＬパネル１０Ｂは、基板１１と、基板１１の一方面１１１上に積層された第１電極層１２と、第１電極層１２上に積層された有機発光層１３と、有機発光層１３上に積層された第２電極層１４と、第１及び第２封止部材１５、１６と、係合部材１８とを備えて構成される。
【００３６】
第１の実施形態に係る有機ＥＬパネル１０Ａでは、第２封止部材１６の外面１６１に係合部材１７を配設したが、第２の実施形態に係る有機ＥＬパネル１０Ｂは、第１封止部材１５の外周壁部分１５１に係合部材１８を配設した実施形態である。このため、第２の実施形態に係る有機ＥＬパネル１０Ｂにおける基板１１、第１電極層１２、有機発光層１３、第２電極層１４、第１封止部材１５及び第２封止部材１６は、第１の実施形態に係る有機ＥＬパネル１０Ａにおける基板１１、第１電極層１２、有機発光層１３、第２電極層１４、第１封止部材１５及び第２封止部材１６とそれぞれ同様であるので、その説明を省略する。
【００３７】
係合部材１８、１８は、有機ＥＬパネル１０Ｂを取り付ける取付け面に配設された後述の取付け部材２０Ｂと係合する部材である。係合部材１８、１８は、例えば、略帯状の板状部材を短尺方向の一方端で略垂直に折り曲げることによって、基部１８１の一方端に係合爪１８２、１８２が形成された断面略Ｌ字状の部材である。このような係合部材１８、１８は、その係合爪１８２、１８２が互いに向き合うように、その基部１８１、１８１が第１封止部材１５の外周壁部分１５１に第１封止部材１５によって接着されることによって、有機ＥＬパネル１０Ｂの背面に固定される。これによって、第２封止部材１６の外面１６１と係合爪１８２、１８２とによって狭持空間Ｓｃ、Ｓｃが形成される。
【００３８】
次に、この係合部材１８に係合する取付け部材２０Ｂについて説明する。図５は、第２の実施形態に係る取付け部材の構造を示す図である。図５（Ａ）は、正面図であり、図５（Ｂ）は、側面図であり、図５（Ｃ）は、図５（Ａ）に示すＤＤ線における断面図である。そして、図５（Ｄ）は、第２の実施形態における変形形態に係る取付け部材の正面図であり、図５（Ｅ）は、その側面図である。
【００３９】
図５（Ａ）乃至（Ｃ）において、取付け部材２０Ｂは、係合部材１８と係合する部材であり、例えば、係合部材１８の係合爪１８２を狭持することによって係合部材１８と係合する。より具体的には、取付け部材２０Ｂは、例えば、略直方体形状を成し、対向する１対の側面２２１、２２１には、それぞれ、断面略矩形の係合溝Ｓｄ、Ｓｄが長手方向に形成されている。この係合溝Ｓｄ、Ｓｄを１対の側面２２１、２２１にそれぞれ形成することによって、取付け部材２０Ｂには、対向する１対の側端に、係合部２２２、２２２がそれぞれ形成される。
【００４０】
次に、有機ＥＬパネルを取り付け面に取り付ける場合について説明する。図６は、第２の実施形態に係る有機ＥＬパネルを第２の実施形態に係る取付け部材に係合させる様子を説明するための斜視図である。
【００４１】
図６において、まず、取付け部材２０Ｂが、有機ＥＬパネル１０Ｂが取り付けられる不図示の面、例えば天井面に取付け部材２０Ｂの外面２２３を当接するように、例えばねじ止めや接着等によって固定される。外面２２３は、係合部２２２、２２２がそれぞれ形成される面に対向する面である。
【００４２】
そして、取付け部材２０Ｂの係合溝Ｓｄ、Ｓｄに有機ＥＬパネル１０Ｂにおける係合部材１８、１８の係合爪１８２、１８２が挿入されることによって、即ち、有機ＥＬパネル１０Ｂの狭持空間Ｓｃ、Ｓｃに取付け部材２０Ｂの係合部２２２、２２２が挿入されることによって、有機ＥＬパネル１０Ｂが取付け部材２０Ｂに係合され、有機ＥＬパネル１０Ｂが取付け面に取り付けられる。このように取付け部材２０Ｂの係合部２２２、２２２が有機ＥＬパネル１０Ｂの狭持空間Ｓｃ、Ｓｃに挿入されるので、狭持空間Ｓｃ、Ｓｃは、係合部２２２、２２２を挿入可能な幅及び深さを有している。
【００４３】
このように本実施形態に係る有機ＥＬパネル１０Ｂは、枠体を用いることなく、背面に設けられた係合部材１８を取り付け面に配設された取付け部材２０Ｂに係合させることによって、取り付け面に取り付けられるので、発光面を全て活用することができる。
【００４４】
なお、上述の実施形態では、係合部材１８、１８を第１封止部材１５の外周壁部分１５１に第１封止部材１５によって接着したが、係合部材１８、１８における基部１８１、１８１の端面１８１１、１８１１（図４（Ｃ）参照）を接着剤によって、基板１１の一方面１１１における第１及び第２電極層１２、１４、有機発光層１３並びに第１及び第２封止部材１５、１６が形成されていない部分１１１１に接着してもよい。あるいは、係合部材１８、１８を第１封止部材１５の外周壁部分１５１に第１封止部材１５によって接着すると共に、係合部材１８、１８における基部１８１、１８１の端面１８１１、１８１１（図４（Ｃ）参照）を接着剤によって、基板１１の一方面１１１における第１及び第２電極層１２、１４、有機発光層１３並びに第１及び第２封止部材１５、１６が形成されていない部分１１１１に接着してもよい。
【００４５】
そして、有機ＥＬパネル１０Ｂを例えば天井面や床面等の重力の作用する方向に直交する面に取り付ける場合には、係合部材１８を取付け部材２０Ｂによって支持することができるが、例えば壁面等の重力の作用する方向に直交しない面に取り付ける場合には、係合部材１８を取付け部材２０Ｂが滑り抜ける可能性がある。このため、有機ＥＬパネル１０Ｂをこのような重力の作用する方向に直交しない面に取り付けることができるように、図５（Ｄ）及び（Ｅ）に示すように、係合溝Ｓｄ’、Ｓｄ’の一方端を閉塞する閉塞部２２４、２２４が側面２２１、２２１の長手方向の一方端に残るように、係合溝Ｓｄ’、Ｓｄ’を形成してもよい。あるいは、係合部材１８の係合爪１８２、１８２を若干さらに内側に折り曲げることによって、狭持空間Ｓｃ、Ｓｃに取付け部材２０Ｂの係合部２２２、２２２が挿入された場合に取付け部材２０Ｂの係合部２２２、２２２に付勢力が働くように係合爪１８２、１８２に弾性を持たせるように係合爪１８２、１８２が構成されてもよい。
【００４６】
また、上述の第２の実施形態において、１対の係合部材１８、１８によって陽極端子部１２１及び陰極端子部１４１に給電するように構成してもよい。この場合では、係合部材１８、１８は、第１電極層１２の陽極端子部１２１及び第２電極層１４の陰極端子部１４１にそれぞれ導電可能に接続する一対の導電性部材から成る。より具体的には、例えば、アルミニウム等の導電性部材から係合部材１８、１８を形成し、係合部材１８、１８における基部１８１、１８１の端面１８１１、１８１１（図４（Ｃ）参照）を導電性接着剤（例えばスリーボンド製３３８０Ｂ）によって第１電極層１２の陽極端子部１２１及び第２電極層１４の陰極端子部１４１にそれぞれ接着する。このように構成することによって、係合部材１８、１８に直流の電力を供給することによって、係合部材１８、１８を介して第１電極層１２の陽極端子部１２１及び第２電極層１４の陰極端子部１４１に直流の電力が供給され、有機発光層１３が発光する。
【図面の簡単な説明】
【００４７】
【図１】第１の実施形態に係る有機ＥＬパネルの構造を示す図である。
【図２】第１の実施形態に係る取付け部材の構造を示す図である。
【図３】第１の実施形態に係る有機ＥＬパネルを第１の実施形態に係る取付け部材に係合させる様子を説明するための斜視図である。
【図４】第２の実施形態に係る有機ＥＬパネルの構造を示す図である。
【図５】第２の実施形態に係る取付け部材の構造を示す図である。
【図６】第２の実施形態に係る有機ＥＬパネルを第２の実施形態に係る取付け部材に係合させる様子を説明するための斜視図である。
【図７】特許文献１に記載の有機ＥＬ表示装置の構造を示す図である。
【符号の説明】
【００４８】
１０Ａ、１０Ｂ  有機ＥＬパネル
１１  基板
１２  第１電極層
１３  有機発光層
１４  第２電極層
１５  第１封止部材
１６  第２封止部材
１７、１８  係合部材
２０Ａ、２０Ｂ  取付け部材
【図１】
0004797595.tif 000002
【図２】
0004797595.tif 000003
【図３】
0004797595.tif 000004
【図４】
0004797595.tif 000005
【図５】
0004797595.tif 000006
【図６】
0004797595.tif 000007
【図７】
0004797595.tif 000008